(57)【要約】  【課題】  複数の辞書から見出し語に対応する情報をユーザの期待している辞書から検索する電子辞書の提供。  【解決手段】  検索対象となる辞書の種類を記憶する切替記憶メモリ１と、複数の辞書の見出し語のリストである全見出し語リスト４と、それに対応した属性リスト５を有し、全見出し語リスト４から入力された見出し語を検索し、属性リスト５と切替記憶メモリ１と対応関係比較して、候補の見出し語を絞り込む。  【選択図】  図１
2006228045.tif 000002
【特許請求の範囲】
【請求項１】
文字の入力や候補の選択を行う入力手段と、
複数の辞書データを格納する辞書データ記憶手段と、
前記辞書データ記憶手段に格納されている複数の前記辞書データから検索をする辞書一括検索手段と、
前記辞書一括検索手段が前記辞書データ記憶手段に格納されている前記辞書データを検索するときに、あらかじめ検索する前記辞書データを選択して記憶してある切替記憶手段と、
辞書一括検索手段の検索結果を視覚的に表示する表示手段と、
を有することを特徴とする電子辞書。
【請求項２】
前記辞書データ記憶手段に格納されている複数の辞書データの見出し語と前記見出し語に対応した前記辞書データの属性とをあわせたリストを有することを特徴とする請求項１に記載の電子辞書。
【請求項３】
前記辞書データ記憶手段に格納されている複数の辞書データの見出し語に対応した見出し語リストと、前記見出し語リストの見出し語に対応した辞書データに関する属性リストとを有し、前記辞書データ記憶手段から前記見出し語を検索するときに前記見出し語リストを検索して検索の結果該当する見出し語があった場合に前記属性リストから対応する辞書データを選択する辞書一括検索手段を有する請求項１に記載の電子辞書。
【発明の詳細な説明】
【技術分野】
【０００１】
本発明は、複数の辞書を有する電子辞書に関するものである。
【背景技術】
【０００２】
複数の辞書の内容を電子データとして搭載し、ユーザに入力された語句やそれに近似する語句を表示する技術が開示されている（例えば特許文献１参照。）。
【特許文献１】特願平２−１９１４８６
【発明の開示】
【発明が解決しようとする課題】
【０００３】
上記のような検索機能には複数の辞書から例文を検索するものや辞書の語義中にある語句をピックアップして複数の辞書から検索を行うものもあるが、その検索対象となる辞書が多い為に、検索に時間がかかったりユーザの期待しない辞書からの検索結果が表示される場合があった。
【０００４】
例えば、国語辞典と和英辞典のような見出し語に同じものがある辞書を複数搭載している電子辞書において、複数の辞書を一括に検索しようとしたときに、ユーザは入力した語句の日本語の意味を調べるつもりでも、検索結果の候補リストの中から和英辞典の見出し語に混在している国語辞典の見出し語を探し出さなければならない。
【０００５】
しかし、予めユーザが検索対象となる辞書について有効か無効かを切り替えられるようにすれば、検索時間の短縮やユーザの期待する検索の候補を絞り込むことができ、検索の効率を向上させることができるのである。
【０００６】
検索の重複をなるべく避け、入力した見出し語に対して、複数の辞書からの検索の結果が絞り込まれる電子辞書を提供する。
【課題を解決するための手段】
【０００７】
上記課題を解決するための本発明の電子辞書は様態は、文字の入力や候補の選択を行う入力手段と、複数の辞書データを格納する辞書データ記憶手段と、辞書データ記憶手段に格納されている複数の辞書データから検索をする辞書一括検索手段と、辞書一括検索手段が辞書データ記憶手段に格納されている辞書データを検索するときに、あらかじめ検索する辞書データを選択して記憶してある切替記憶手段と、辞書一括検索手段の検索結果を視覚的に表示する表示手段と、を有することを特徴とする。
【０００８】
さらに、辞書データ記憶手段に格納されている複数の辞書データの見出し語と見出し語に対応した辞書データの属性とをあわせたリストを有してもよい。
【０００９】
また、辞書データ記憶手段に格納されている複数の辞書データの見出し語に対応した見出し語リストと、見出し語リストの見出し語に対応した辞書データに関する属性リストとを有し、辞書データ記憶手段から見出し語を検索するときに見出し語リストを検索して検索の結果該当する見出し語があった場合に属性リストから対応する辞書データを選択する辞書一括検索手段を有してもよい。
【発明の効果】
【００１０】
以上、本発明によれば、予めユーザが検索対象となる辞書について有効か無効かを切り替えられるようにできるため、検索時間の短縮やユーザの期待する検索の候補を絞り込むことができ、検索の効率を向上させることができる。また、複数の辞書の全見出し語をリストにするので異なる辞書を切り替えて検索しなくてすみ、同じ見出し語を重複して検索することもなくなり効率的な検索ができる。
【発明を実施するための最良の形態】
【００１１】
以下に、本発明の実施の形態を図面に基づいて説明する。
【００１２】
図５は、本発明の実施の形態例に基づく電子辞書の概観図である。図中点線で囲った部分である文字入力キー１１はユーザがアルファベットなどの文字を入力するために用いられる。図中点線で囲った部分の制御キー１２は、ユーザが検索や見出し語の候補の選択や文字や入力の決定を装置に知らせるために用いられる。図中点線で囲った部分の機能キー１３はユーザが検索する辞書や機能を選択する際に用いられる。機能電源キー１４は、ユーザが装置の電源をＯＮやＯＦＦの状態にするために用いる。これらは入力手段に相当する。表示装置１５はＬＣＤであり、ユーザの入力や装置の出力を視覚的に表示するための表示手段である。ケース１７は電子辞書のケースである。
【００１３】
図４は、本発明の実施の形態の構成を示すブロック図である。辞書データ記憶手段として国語辞典データ６、和英辞典データ７、外来語辞典データ７、百科事典データ９の各辞書のデータと、全辞書の見出し語を合わせてアルファベット順または５０音順にソートした全見出し語リスト４と、その見出し語がどの辞書に属するかを表す属性リスト５を有している。これにより、検索対象となる辞書の種類が多数であっても検索の効率が損なわれることが無くなるのである。
【００１４】
全見出し語リスト４と属性リスト５は対応しており、例えば、見出し語「あき[秋]」は、国語辞典、和英辞典、百科事典には存在するが、外来語辞典には存在しないということを表している。本図では便宜上存在する場合には丸印、非存在ならばばつ印をつけて、辞書データ中の有無を表現している。入力手段１０は文字入力キー１１、制御キー１２、機能キー１３、機能電源キー１４などのキーである。制御部１５はＲＯＭに記憶されたプログラムにより動作するＣＰＵを有し、複数の辞書を一括して検索する一括検索手段１２などの機能を実現したり、表示装置１５の制御を行ったり、記憶手段の制御を行ったり、入力手段の制御を行ったりする制御手段である。切替記憶メモリ１は複数の辞書を使用するか否かの状態を記憶しておくメモリである。
【００１５】
それでは、語句を複数の辞書から検索する動作の例を図１のフローチャートに従って説明する。まず、ユーザは検索を開始する前に、予め複数辞書検索機能で検索を行う場合の有効または無効となる辞書を設定する。電源キー１４を押した直後など入力待ちの状態で、ユーザが機能キー１３にある切替設定キーを押すと辞書切替設定機能が選択され（Ｓ１）、切替設定画面が表示される（図２：表示０）。ユーザは制御キー１２の上下キー用いて辞書の種類を選択し、左右キーを用いて複数辞書検索機能において検索を行う場合に有効にするか無効にするかを選択し、ＥＮＴＥＲキーで決定する（Ｓ２）。切替記憶メモリ１はその切替の結果を記憶しておく。切替記憶メモリ１は前記切替記憶手段に相当する。ここでは、ユーザがある語句を日本語としての意味または専門的な説明を期待しているものとして、国語辞典と百科事典を有効に、和英辞典と外来語辞典を無効に設定したものとする。
【００１６】
次に、ユーザが機能キー１３の複数検索キーを押すと複数検索機能にうつり（Ｓ３）入力画面が表示され（図２：表示１）、ユーザは文字入力キー１１を用いて検索したい語句を入力する（Ｓ４）。そのときの入力例として「あきさめ」と入力した表示を図２表示２に示す。制御キー１２のＥＮＴＥＲキーを押すと入力が完了する。
【００１７】
そして、辞書一括検索手段２はユーザが入力した語句と全見出し語リスト４にある見出し語を１文字ずつ比較し、一致する見出し語を探す（Ｓ５）。
【００１８】
全見出し語リスト４に一致する見出し語が見つかれば、辞書一括検索手段２はその見出し語に対応する属性データを属性リストから検索する（Ｓ６）。見つからなかった場合は、表示装置１５に見出し語が見つからなかった旨の「該当する見出し語が見つかりません」と表示する（Ｓ１０）。そのときの例として「あきざ」という文字を入力し、検索したが見つからなかった表示の例を図２表示５に示す。
【００１９】
一致する見出し語が見つかった場合は、辞書一括検索手段２がその属性データと切替記憶メモリ１に記憶された値を比較し（Ｓ７）、属性データがあり、さらに切替記憶メモリ１に「有効」となっている辞書の種類があるか調べる（Ｓ８）。それがあれば、辞書一括検索手段２は、該当する見出し語として、その見出し語と辞書の種類を表示装置１５に表示する（図２：表示３）。なかった場合は、表示装置１５に「該当する見出し語が見つかりません」とメッセージを表示する（Ｓ１０）。
【００２０】
表示装置１５に表示された見出し語と辞書の種類を制御キー１２の上下キーで選びＥＮＴＥＲキーで決定すると、辞書一括検索手段２が選択された辞書の辞書データから選択された見出し語の語義が格納されている部分を取り出し、表示装置１５に表示する（Ｓ９）。そのときの見出し語と語義の表示の例が図２表示４である。
【００２１】
こうして、ユーザの希望する辞書からのみ検索された語句「秋雨」の候補を少なく絞り込むことができ、たとえ多数の辞書に含まれている見出し語でも効率よく期待通りに調べることができるのである。
【００２２】
複数辞書を一括に検索する他の手段で実施しても構わない。例えば、辞書中の単語を制御キー１２でピックアップして、辞書を再検索するような場合にも有効である。
【００２３】
ユーザが機能キー１３の国語キーから国語辞典の機能を選択し、国語辞典にある見出し語の「しゅうりん」という語句を検索し（図３：表示６）、その語義画面を表示したとする（図３：表示７）。ここで制御キー１２の右キーでカーソルを表示し下キーでカーソルを「秋雨」に合わせるように動かし、そこで制御キー１２のＥＮＴＥＲキーを押したときに、収録辞書を一括に検索できるような機能を備えていれば、前述と同様の検索結果を得ることができる（図３：表示９）。
【図面の簡単な説明】
【００２４】
【図１】本発明の実施の形態のフローチャートである。
【図２】本発明の実施の形態の表示状態図である。
【図３】本発明の実施の形態の表示状態図である。
【図４】本発明の実施の形態の構成を示すブロック図である。
【図５】本発明の実施の形態例に基づく電子辞書の概観図である。
【符号の説明】
【００２５】
１  切替記憶メモリ
２  辞書一括検索手段
３  辞書データ記憶手段
４  全見出し語リスト
５  属性リスト
６  国語辞典データ
７  和英辞典データ
８  外来語辞典データ
９  百科事典データ
１０  入力手段
１１  文字入力キー
１２  制御キー
１３  機能キー
１４  機能電源キー
１５  表示装置
【図１】
2006228045.tif 000003
【図２】
2006228045.tif 000004
【図３】
2006228045.tif 000005
【図４】
2006228045.tif 000006
【図５】
2006228045.tif 000007